(57)【要約】【課題】プリンタを持ち運ぶ際、ＡＣコードが破損しないようにする。【解決手段】商用電源を供給するＡＣコード１０２と、ユーザによって持ち運ばれるときに把持される手掛け部１０、２０と、手掛け部１０、２０に対する把持を検出する把持検出手段４０１と、ユーザへの報知を行う報知手段４０２と、ＡＣコード１０２が接続されているときに商用電源の供給を制御する電源制御手段４００とを備え、電源制御手段４００は、把持検出手段４０１によって手掛け部１０、２０に対する把持が検出されたときに、報知手段４０２によって、ＡＣコード１０２の取外しを促す報知を行うこと。【選択図】図１
2018140495.tif 000002
【特許請求の範囲】
【請求項１】
商用電源を供給する商用電源供給部材と、
ユーザによって機器本体を移動するときに押圧される押圧部と、
前記押圧部に対する押圧を検出する押圧検出手段と、
ユーザへの報知を行う報知手段と、
前記商用電源が供給されているときに動作し電源オン及びオフを制御する電源制御手段とを備え、
前記電源制御手段は、前記押圧検出手段によって前記押圧部に対する前記押圧が検出されたときに、前記報知手段によって、前記商用電源供給部材の取外しを促す報知を行うことを特徴とする電子機器。
【請求項２】
商用電源を供給する商用電源供給部材と、
ユーザによって持ち運ばれるときに把持される手掛け部と、
前記手掛け部に対する把持を検出する把持検出手段と、
ユーザへの報知を行う報知手段と、
前記商用電源供給部材が接続されているときに前記商用電源の供給を制御する電源制御手段とを備え、
前記電源制御手段は、前記把持検出手段によって前記手掛け部に対する把持が検出されたときに、前記報知手段によって、前記商用電源供給部材の取外しを促す報知を行うことを特徴とする画像形成装置。
【請求項３】
前記商用電源供給部材が接続され前記商用電源が供給された状態で押下されると電源オン状態とする電源スイッチを設け、
前記電源制御手段は、前記電源スイッチによる前記電源オン状態において、前記把持検出手段によって把持が検出されたときに、前記報知手段によって前記商用電源供給部材の取外しを促す報知を行うことを特徴とする請求項２記載の画像形成装置。
【請求項４】
更に、前記電源制御手段は、前記報知手段によって、電源オン状態から電源オフ状態へ移行させるためのシャットダウン処理を行うか否かの選択を促すメッセージの表示を行うことを特徴とする請求項３記載の画像形成装置。
【請求項５】
前記電源制御手段は、前記電源スイッチによる前記電源オフ状態において、前記把持検出手段によって把持が検出されたときに、前記報知手段によって前記商用電源供給部材の取外しを促す報知を行うことを特徴とする請求項３記載の画像形成装置。
【請求項６】
前記電源オフ状態は、前記電源スイッチ、前記把持検出手段及び前記報知手段に対してサブ電源が供給されていることを特徴とする請求項５記載の画像形成装置。
【請求項７】
前記商用電源供給部材の取外しを促す報知は、ブザーを鳴動させる報知としたことを特徴とする請求項２乃至５いずれか一記載の画像形成装置。
【請求項８】
着脱可能なオプション装置と、
前記オプション装置への電源供給を制御するオプション装置電源供給手段を備え、
前記電源制御手段は、前記電源オン状態において前記把持検出手段によって前記把持が検出されたときは、前記オプション装置電源供給手段を介して、前記オプション装置への電源供給を停止することを特徴とする請求項５記載の画像形成装置。
【請求項９】
前記電源制御手段は、前記電源オン状態において前記把持検出手段によって前記把持が検出されたときは、前記報知手段によって、再起動を促すガイダンスを表示させることを特徴とする請求項８記載の画像形成装置。
【請求項１０】
前記手掛け部は複数設けられ、
前記電源制御手段は、前記把持検出手段によって前記複数の手掛け部の把持が検出されたときに、前記報知手段によって前記報知を行うことを特徴とする請求項２乃至９いずれか一記載の画像形成装置。
【請求項１１】
前記手掛け部は、装置側面と底面とのなす角部において形成した凹部を有し、
上下方向にスライド可能な把持部と、
前記把持部が上方向にスライド移動したときにオンとなる把持スイッチとからなることを特徴とする請求項２乃至９いずれか一記載の画像形成装置。
【請求項１２】
前記商用電源供給部材が接続され前記商用電源が供給された状態で押下されると電源オン状態とする電源スイッチを設け、
前記電源制御手段は、前記電源スイッチによる前記電源オン状態において、前記押圧検出手段によって押圧が検出されたときに、前記報知手段によって前記商用電源供給部材の取外しを促す報知を行うことを特徴とする請求項１記載の電子機器。
【請求項１３】
更に、前記電源制御手段は、前記報知手段によって、電源オン状態から電源オフ状態へ移行させるためのシャットダウン処理を行うか否かの選択を促すメッセージの表示を行うことを特徴とする請求項１２記載の電子機器。
【請求項１４】
前記電源制御手段は、前記電源スイッチによる前記電源オフ状態において、前記押圧検出手段によって押圧が検出されたときに、前記報知手段によって前記商用電源供給部材の取外しを促す報知を行うことを特徴とする請求項１２記載の電子機器。
【請求項１５】
商用電源供給部材により商用電源の供給を電源ＯＮ検出手段により検出する商用電源検出工程と、
ユーザによって装置が持ち運ばれるときに把持される手掛け部に対する把持を把持検出手段によって検出する把持検出工程と、
前記商用電源供給部材が接続されているときに、前記把持検出手段によって前記手掛け部に対する把持が検出されると、報知手段によって、ユーザへ前記商用電源供給部材の取外しを促す報知を行う報知工程を含むことを特徴とする画像形成装置の報知方法。
【請求項１６】
前記商用電源供給部材が接続された状態で電源スイッチが押下されるか否かを検出する電源スイッチ押下検出工程を更に含み、
前記把持検出工程は、前記電源スイッチ押下検出工程により前記電源スイッチの押下が検出された後に行われることを特徴とする請求項１５記載の画像形成装置の報知方法。
【請求項１７】
前記把持検出工程は、前記電源スイッチ押下検出工程により前記電源スイッチの押下が検出されなかった後にも行われることを特徴とする請求項１６記載の画像形成装置の報知方法。
【発明の詳細な説明】
【技術分野】
【０００１】
本発明はＡＣコードに接続される電子機器、特にプリンタ及び複写機等の画像形成装置に関するものである。
【背景技術】
【０００２】
一般に、プリンタ及び複写機等の電子機器としての画像形成装置は、オフィス等に配置され、使用しやすいように頻繁にその設置場所が移動される。このとき画像形成装置は、ユーザによって画像形成装置の底部適所が把持されて持ち運ばれる（例えば、特開２０１２−１５０１５１号公報（特許文献１）参照）。
【先行技術文献】
【特許文献】
【０００３】
【特許文献１】特開２０１２−１５０１５１号公報
【発明の概要】
【発明が解決しようとする課題】
【０００４】
しかしながら、上記構成の画像形成装置では、その設置場所の移動の際、ＡＣコードの取外しを忘れて持ち運ぼうとし、ＡＣコード等が損傷するという問題があった。或いは、画像形成装置と接続されたオプション装置があった場合、画像形成装置から電源が供給されたまま画像形成装置が持ち運ばれ、活栓挿抜による故障が発生するという問題もあった。
本発明はこのような問題を解決することを課題とし、画像形成装置の設置場所が移動されるときに、ＡＣコードが接続されたまま画像形成装置が持ち運ばれないようにし、ＡＣコード等の損傷を防止することができる画像形成装置を提供することを目的とするものである。更に、オプション装置への電源が供給されたまま画像形成装置が持ち運ばれないようにし、活栓挿抜による故障が発生しないようにした画像形成装置を提供することを目的とするものである。
【課題を解決するための手段】
【０００５】
上記課題を解決するために請求項１記載の本発明に関する電子機器は、商用電源を供給する商用電源供給部材と、ユーザによって機器本体を移動するときに押圧される押圧部と、前記押圧部に対する押圧を検出する押圧検出手段と、ユーザへの報知を行う報知手段と、前記商用電源が供給されているときに動作し電源オン及びオフを制御する電源制御手段とを備え、前記電源制御手段は、前記押圧検出手段によって前記押圧部に対する前記押圧が検出されたときに、前記報知手段によって、前記商用電源供給部材の取外しを促す報知を行うことを特徴とする。
【０００６】
請求項２記載の本発明に関する画像形成装置は、商用電源を供給する商用電源供給部材と、ユーザによって持ち運ばれるときに把持される手掛け部と、前記手掛け部に対する把持を検出する把持検出手段と、ユーザへの報知を行う報知手段と、前記商用電源供給部材が接続されているときに前記商用電源の供給を制御する電源制御手段とを備え、前記電源制御手段は、前記把持検出手段によって前記手掛け部に対する把持が検出されたときに、前記報知手段によって、前記商用電源供給部材の取外しを促す報知を行うことを特徴とする。
【０００７】
請求項３記載の本発明に関する画像形成装置は、前記商用電源供給部材が接続され前記商用電源が供給された状態で押下されると電源オン状態とする電源スイッチを設け、前記電源制御手段は、前記電源スイッチによる前記電源オン状態において、前記把持検出手段によって把持が検出されたときに、前記報知手段によって前記商用電源供給部材の取外しを促す報知を行うことを特徴とする。
請求項８記載の本発明に関する画像形成装置は、着脱可能なオプション装置と、前記オプション装置への電源供給を制御するオプション装置電源供給手段を備え、前記電源制御手段は、前記電源オン状態において前記把持検出手段によって前記把持が検出されたときは、前記オプション装置電源供給手段を介して、前記オプション装置への電源供給を停止することを特徴とする。
【発明の効果】
【０００８】
本発明によれば、前記電源制御手段が、前記押圧検出手段によって前記押圧部に対する前記押圧が検出されたときに、前記報知手段によって、前記商用電源供給部材の取外しを促す報知を行うようにしたので、電子機器を持ち運ぶ際に、又は画像形成装置を持ち運ぶ際に、商用電源供給部材が接続されたまま持ち運ばれることを防止でき、商用電源供給部材の損傷を防止することができる。
【図面の簡単な説明】
【０００９】
【図１】第１の実施の形態に関する画像形成装置の装置背面側から見た外観斜視図である。
【図２】第１の実施の形態に関する画像形成装置の装置正面側から見た外観斜視図である。
【図３】第１の実施の形態に関する画像形成装置を装置右側から見た側面図である。
【図４】第１の実施の形態に関する画像形成装置の手掛け部のＸ―Ｘ部分断面図である。
【図５】第１の実施の形態に関する画像形成装置のブロック図である。
【図６】第１の実施の形態に関する画像形成装置の電源制御部の機能ブロック図である。
【図７】第１の実施の形態に関する画像形成装置の電源オフ状態から開始する動作フローチャート図である。
【図８】第１の実施の形態に関する画像形成装置の電源オン状態から開始する動作フローチャート図である。
【図９】第１の実施の形態に関する画像形成装置のシャットダウン処理選択画面を示す説明図である。
【図１０】第１の実施の形態に関する画像形成装置のシャットダウン処理中画面を示す説明図である。
【図１１】第２の実施の形態に関する画像形成装置の装置背面側から見た外観斜視図である。
【図１２】第２の実施の形態に関する画像形成装置のブロック図である。
【図１３】第２の実施の形態に関する画像形成装置の機能ブロック図である。
【図１４】第２の実施の形態に関する画像形成装置の電源オン状態から開始する動作フローチャート図である。
【図１５】第２の実施の形態に関する画像形成装置の再起動促し画面を示す説明図である。
【発明を実施するための形態】
【００１０】
（第１の実施の形態）
以下に本発明を実施するための最良の形態である第１の実施の形態を説明する。各図面に共通な要素には同一の符号を付す。以下、第１の実施の形態に関する電子機器としてのプリンタ（以下、画像形成装置という）１０１の構成を説明する。
【００１１】
図１は、第１の実施の形態に関する画像形成装置の装置背面側から見た外観斜視図である。図２は、第１の実施の形態に関する画像形成装置の装置正面側から見た外観斜視図である。電子機器としての画像形成装置１０１は、後に図５に示すＰＣ（Personal Computer）等のホスト装置３２０から送信されてくる印刷ジョブに基づいて、所定の印刷媒体に画像形成を行って印刷を行うものである。
図１に示すように、画像形成装置１０１は、装置背面に商用電源供給部材１０２が接続され、商用電源が供給される。商用電源供給部材１０２は装置正面又は側面に設けるようにしてもよい。商用電源供給部材１０２は、例えば、ＡＣインレット１０３、ＡＣインレットプラグ１０４、ＡＣコード１０５及びＡＣプラグ１０６から構成される。
装置背面に設けられたＡＣインレット１０３にはＡＣコード１０５の一方端部に設けられたＡＣインレットプラグ１０４が挿入される。ＡＣコード１０５の他方端部に設けられたＡＣプラグ１０６は市販のＡＣコンセントに挿入される。
【００１２】
画像形成装置１０１の装置正面側には、操作表示部１５０が設けられている。操作表示部１５０にはガイダンス等を表示する表示部１５１及び操作キー１５２が配置されている。表示部１５１は、ＬＣＤ（Liquid Crystal Display）等のディスプレイ上に透明タッチパネルを積層して構成し、表示機能に加えて入力機能を有する構成とするのがよい。操作キー１５２は、例えば、印刷開始キー、所定の選択を行う選択キー、選択決定キー、操作キャンセルキー及びテンキー等から構成される。
また、画像形成装置１０１は、装置を移動し易いように、即ち、持ち運び易いように装置正面及び背面側から見て左右対称であって、装置の左右側面下方の位置に、手掛け部１０ａ、１０ｂ、２０ａ及び２０ｂが計４箇所設けられる。手掛け部１０ａ、１０ｂ、２０ａ及び２０ｂは、装置正面及び背面側から二人のユーザによって把持され、即ち押圧される押圧部として機能する。
【００１３】
即ち、画像形成装置１０１は、図１に示すように装置右側面３０ａの下方で装置正面側に手掛け部１０ａを備え、装置背面側に手掛け部２０ａを備える。同様に、図２に示す装置左側面３０ｂの下方で装置正面側に手掛け部１０ｂを備え、装置背面側に手掛け部２０ｂを備える。以下、装置正面側から見て右側を装置右側、左側を装置左側という。また、簡略化のために、手掛け部１０及び２０に係る説明において装置右側と装置左側に共通の説明では左右を識別するａ及びｂの付記を省略する。
手掛け部１０及び２０は、画像形成装置１０１を移動するとき、即ち、持ち運ぶときに、装置正面側のユーザが両手で手掛け部１０ａ及び１０ｂを持ち、装置背面側のユーザが両手で手掛け部２０ａ及び２０ｂを持つことを想定して配置している。
【００１４】
図２に示すように、画像形成装置１０１の装置正面側には、電源スイッチ１０７が設けられている。電源スイッチ１０７は、商用電源供給部材１０２が接続され商用電源が供給された状態で押下されると画像形成装置１０１の電源を投入し電源オン状態とするものである。一方、画像形成装置１０１が電源オン状態において、電源スイッチ１０７が押下されることによって画像形成装置１０１の電源をオフし、即ち、電源オフ状態とする機能も有する。
【００１５】
図３は、第１の実施の形態に関する画像形成装置を装置右側から見た側面図である。手掛け部１０ａ、２０ａは、それぞれ画像形成装置１０１の装置右側面３０ａと底面４５とのなす角部において直角に形成した凹部を有し、持ち運びの際のユーザの手が掛かる程度の幅を有する。前述のように、装置正面方向に手掛け部１０ａを有し、装置背面方向に手掛け部２０ａを有する。図２に示す手掛け部１０ｂ、２０ｂも、同様にそれぞれ画像形成装置１０１の装置左側面３０ｂと底面４５とのなす角部において直角に形成した凹部であって、持ち運びの際のユーザの手が掛かる程度の幅を有する。
図３に示すように、装置右側の手掛け部１０ａ及び２０ａには、鉛直上向き及び下向き、即ち矢印Ａ方向及びＢ方向にスライド移動自在の把持部１１ａ、２１ａが設けられている。また、把持部１１ａ、２１ａの上部には、把持スイッチ１２ａ、２２ａが設けられている。把持スイッチ１２ａ、２２ａは、例えば、タクトスイッチによって構成する。手掛け部１０ａ及び２０ａをこのような構成とすることによって、ユーザによって、手掛け部１０ａ、２０ａが把持されたときに把持スイッチ１２ａ、２２ａがオンし、ユーザによる把持を検出することができる。
同様に、画像形成装置１０１の装置左側側面３０ｂにも、手掛け部１０ｂ及び２０ｂ、図示しない把持部１１ｂ及び２１ｂ並びに後述する把持スイッチ１２ｂ及び２２ｂを設ける。
【００１６】
更に詳細に押圧部としての手掛け部１０の構成を説明する。図４は第１の実施の形態に関する画像形成装置の手掛け部のＸ―Ｘ部分断面図である。図４（ａ）は、ユーザによって手掛け部１０の把持部１１が把持されていない状態を示し、図４（ｂ）は、ユーザによって把持部１１が把持されたときの状態を示す。なお、図４においては、装置右側の手掛け部１０ａについて付記ａを省略して説明する。また、装置左側の手掛け部１０ｂ、装置右側の手掛け部２０ａ及び装置左側の手掛け部２０ｂも、図４に示す構成と同様であるので説明を省略する。
把持部１１は、直角に設けられた凹部としての手掛け部１０の内側に沿って、逆Ｌ字型に配置される。把持部１１は垂直部１１−１と水平部１１−２からなる。把持部１１は、垂直部１１−１に沿って矢印Ａ及びＢ方向にスライド移動自在に配置される。把持部１１の垂直部１１−１は、圧縮ばね１５によって矢印Ｂ方向に付勢力を受ける。圧縮ばね１５は、装置本体に設けられた第１突当て部１４と把持部１１の垂直部１１−１との間に配置される。
【００１７】
把持スイッチ１２は、把持部１１が上方向としての矢印Ａ方向にスライド移動したときに把持部１１の水平部１１−２に押されてオン状態となるタクトスイッチである。なお、把持スイッチ１２に替えて、把持部１１の矢印Ａ方向へのスライド移動を検出する光学センサ等によって構成するようにしてもよい。
図４（ａ）に示すように、把持部１１は、ユーザによって把持部１１が把持されていない状態にあるときは、圧縮ばね１５の下方向としての矢印Ｂ方向への付勢力によって、装置本体の底面４５に配置された第２突当て部１６と突き当たった状態となる。このとき、把持部１１と第３突当て部１３との間には所定の間隙ｄが形成されているので、把持スイッチ１２はオフの状態となる。
【００１８】
そして、図４（ｂ）に示すように、ユーザが画像形成装置１０１を持ち運ぶ際、ユーザの手１３０によって把持部１１が把持されると、把持部１１は圧縮ばね１５の付勢力に抗して、上方向としての矢印Ａ方向にスライド移動する。このとき、把持部１１は、装置本体の第３突当て部１３に突き当たった状態となり、把持部１１の水平部１１−２によって把持スイッチ１２が押され、オンの状態となる。このように手掛け部１０を構成することによって、画像形成装置１０１は、画像形成装置１０１を持ち運ぶときのユーザによる把持を把持スイッチ１２のオン／オフによって検出することができる。
【００１９】
次に、第１の実施の形態に関する画像形成装置１０１の制御系の構成を説明する。図５は、第１の実施の形態に関する画像形成装置のブロック図である。電源スイッチ１０７は、図２を用いて説明した装置正面側に配置され画像形成装置１０１の電源オン／オフを行うためのスイッチである。
把持スイッチ１２及び２２は、図６を用いて後述する押圧検出手段としての把持検出手段４０１として機能する。即ち、図３及び図４を用いて説明したユーザによる手掛け部１０及び２０の把持部１１及び２１の把持を検出するタクトスイッチである。
把持スイッチ１２は、装置右側面３０ａの下方に設けられた把持スイッチ１２ａと、装置左側面３０ｂの下方に設けられた把持スイッチ１２ｂからなる。把持スイッチ２２は、装置右側面３０ａの下方に設けられた把持スイッチ２２ａと、装置左側面３０ｂの下方に設けられた把持スイッチ２２ｂからなる。
【００２０】
ＡＣ／ＤＣコンバータ３０２は、商用電源３０１からサブ電源５ＶＳを生成するＡＣ／ＤＣコンバータである。
トライアック３０３は、そのゲート端子に接続されるプリンタ制御部３０７からのＰＯＷＥＲＳＡＶＥ−Ｎ信号によって、ＡＣ／ＤＣコンバータ３０４への商用電源３０１の供給又は停止を行う双方向半導体スイッチング素子である。この供給又は停止によって、プリンタ制御部３０７へのメイン電源２４Ｖ及び５Ｖの供給又は停止を行う。トライアック３０３は、例えば、双方向３端子サイリスタによって構成される。
ＡＣ／ＤＣコンバータ３０４は、商用電源３０１からメイン電源２４Ｖ及び５Ｖを生成するＡＣ／ＤＣコンバータである。
【００２１】
電源制御部３０５は、図６を用いて後述する電源制御手段４００として機能し、画像形成装置１０１の電源オン及び電源オフを制御するものである。電源制御部３０５は、商用電源３０１が供給された状態でＡＣ／ＤＣコンバータ３０２によって生成されるサブ電源５ＶＳによって動作する。電源制御部３０５は、例えばＣＰＵ（Central Processing Unit）によって構成される。このように電源制御部３０５は、商用電源３０１が供給された状態であれば、電源オフされてもサブ電源５ＶＳによって動作する。以下、画像形成装置１０１が電源オフされ、商用電源３０１が供給されたこの状態を「電源オフ状態」という。一方、画像形成装置１０１が電源オンされ印刷可能な稼動状態を「電源オン状態」という。
ＦＥＴ３０６は、そのゲート端子に接続される電源制御部３０５からのＰＷＲＯＮ−Ｎ信号によって、プリンタ制御部３０７ヘのサブ電源５ＶＳの供給及び停止を行う半導体スイッチング素子である。ＦＥＴ３０６は、例えば、ＦＥＴ（Field Effect Transistor）、即ち電界効果型トランジスタによって構成される。ＰＷＲＯＮ−Ｎ信号は、プリンタ制御部３０７ヘのサブ電源５ＶＳの供給及び停止を制御するための信号である。
【００２２】
プリンタ制御部３０７は、電源オン状態において、図６を用いて後述する報知手段４０２として機能する操作表示部１５０、通信部３１１及び印刷部３１２を制御し、印刷を制御するものである。操作表示部１５０は、前述のように表示機能及び入力機能を有する。通信部３１１は、ホスト装置３２０との通信を行う。印刷部３１２は、電子写真式プリント機構等によって所定の印刷媒体に印刷を行う。
プリンタ制御部３０７は、メイン電源２４Ｖ及び５Ｖによって動作し、適時、ＰＯＷＥＲＳＡＶＥ−Ｎ信号をトライアック３０３に送出する。ＰＯＷＥＲＳＡＶＥ−Ｎ信号はＡＣ／ＤＣコンバータ３０４からメイン電源２４Ｖと５Ｖをプリンタ制御部３０７へ供給及び停止を制御するため信号である。プリンタ制御部３０７は、例えばＣＰＵ（Central Processing Unit）によって構成される。
ブザー回路３０８は、電源オフ状態及び電源オン状態において報知手段４０２として機能し、ユーザにブザー等で報知を行うものである。ブザー回路３０８は、ブザーを鳴動させる回路によって構成される。ブザー回路３０８は、これに替えて又はこれに加えて、音声出力を行う回路構成を備えるようにしてもよい。
【００２３】
画像形成装置１０１は、以上の各部が以下のように接続される。即ち、商用電源３０１は、サブ電源用ＡＣ／ＤＣコンバータ３０２及びトライアック３０３に接続される。ＡＣ／ＤＣコンバータ３０２の出力であるサブ電源５ＶＳは、電源制御部３０５及びＦＥＴ３０６に接続される。電源制御部３０５からの出力としてＰＷＲＯＮ−Ｎ信号がＦＥＴ３０６のゲート端子に接続される。プリンタ制御部３０７からの出力としてＰＯＷＥＲＳＡＶＥ−Ｎ信号がトライアック３０３のゲート端子に接続される。
【００２４】
また、電源制御部３０５には、電源スイッチ１０７の出力及び手掛け部１０及び２０の４個の把持スイッチ１２ａ、１２ｂ、２２ａ及び２２ｂの出力が入力される。更に、電源制御部３０５にはブザー回路３０８が接続される。このように電源制御部３０５は、電源オフ状態において電源スイッチ１０７並びに把持スイッチ１２及び２２のオン／オフを検出することができる。同様に、電源制御部３０５は電源オフ状態においてブザー回路３０８による鳴動も行うことができる。
また、電源制御部３０５及びプリンタ制御部３０７間は、シリアル通信３０９によって接続され、電源制御部３０５は、画像形成装置１０１を電源オフとするときに、このシリアル通信３０９によってプリンタ制御部３０７にコマンドを送信できる構成となっている。
【００２５】
次に、第１の実施の形態に関する画像形成装置１０１の電源制御部３０５について説明する。図６は、第１の実施の形態に関する画像形成装置の電源制御部の機能ブロック図である。
電源制御手段４００は、図５に示す電源制御部３０５によって機能する。電源制御手段４００は、商用電源が供給されているときに動作し、画像形成装置１０１の電源オン及びオフを制御する。また、電源制御手段４００は、押圧検出手段としての把持検出手段４０１によって手掛け部１０及び２０の把持が検出されたときに、報知手段４０２によって電源供給部材１０２の取外しを促す報知を行うものである。この場合、後述するように把持検出手段４０１による把持の検出及び報知手段４０２による報知は、電源スイッチ１０７のオン又はオフのいずれの場合でも可能である。
【００２６】
押圧部（手掛け部１０及び２０）に対する押圧（把持）を検出する押圧検出手段としての把持検出手段４０１は、手掛け部１０及び２０に対する把持を検出するものである。把持検出手段４０１は、図５に示す４個の把持スイッチ１２（１２ａ、１２ｂ）、２２（２２ａ、２２ｂ）によって機能する。
報知手段４０２は、ユーザに対し、商用電源供給部材１０２の取外しを促すための報知を行うものである。報知手段４０２は、電源制御手段４００に制御に基づき図５に示すブザー回路３０８によって機能し、電源オン状態ではブザー回路３０８に替えて又はこれに加えて、操作表示部１５０によって機能する。
電源ＯＮ検出手段４０３は、ユーザによる電源スイッチ１０７の押下を検出するものである。電源ＯＮ検出手段４０３は、電源制御手段４００に制御に基づき電源スイッチ１０７によって機能する。
【００２７】
以上の構成により第１の実施の形態に関する画像形成装置１０１は以下のように動作する。最初に、前述の図５を用いて画像形成装置１０１の電源オンの動作を説明する。
まず、画像形成装置１０１が、電源オフの状態のときに、電源スイッチ１０７が押下されると、電源制御手段４００としての電源制御部３０５は、ＰＷＲＯＮ−Ｎ信号によってＦＥＴ３０６をオンとする。このＦＥＴ３０６のオンによってプリンタ制御部３０７へのサブ電源５ＶＳの電源供給を開始する。そして、電源制御部３０５は、シリアル通信３０９によって、サブ電源５ＶＳが供給されたプリンタ制御部３０７に対して、メイン電源供給開始コマンドを送信する。
【００２８】
プリンタ制御部３０７は、電源制御部３０５からのメイン電源供給開始コマンドを受信すると、ＰＯＷＥＲＳＡＶＥ−Ｎ信号によってトライアック３０３をオンとする。このトライアック３０３のオンによって、電源オン状態とし、プリンタ制御部３０７並びに操作表示部１５０、通信部３１１及び印刷部３１２へのメイン電源２４Ｖ／５Ｖの供給を開始する。そして、プリンタ制御部３０７は、シリアル通信３０９によって電源制御部３０５にメイン電源供給完了通知を送信する。
メイン電源２４Ｖ／５Ｖの供給が開始されたプリンタ制御部３０７は、印刷動作を開始する。この印刷は、ホスト装置３２０からの印刷ジョブを通信部３１１によって受信し、印刷部３１２の電子写真式プリント機構を用いて行われる。電源オン状態では、プリンタ制御部３０７並びに操作表示部１５０、通信部３１１及び印刷部３１２にメイン電源２４Ｖ／５Ｖが供給された状態となっている。この電源オン状態においても、電源スイッチ１０７、把持スイッチ１２、２２及びブザー回路３０８には、サブ電源５ＶＳが供給されている。
【００２９】
次に、前述の図５を用いて画像形成装置１０１の電源オフの動作を説明する。まず、画像形成装置１０１が電源オン状態で稼動状態にあるときに、電源スイッチ１０７が押下されると、電源制御部３０５はＦＥＴ３０６をオフする。このＦＥＴ３０６のオフによって、プリンタ制御部３０７へのサブ電源５ＶＳの電源供給が停止される。このＦＥＴ３０６のオフは、電源制御部３０５から出力され、ＦＥＴ３０６のゲート端子に入力されるＰＷＲＯＮ−Ｎ信号によって行われる。
そして、電源制御部３０５は、シリアル通信３０９によって、プリンタ制御部３０７へメイン電源供給停止コマンドを送信する。メイン電源供給停止コマンドは、トライアック３０３をオフしプリンタ制御部３０７並びに操作表示部１５０、通信部３１１及び印刷部３１２へのメイン電源２４Ｖ／５Ｖの電源供給を停止させるコマンドである。トライアック３０３のオフは、プリンタ制御部３０７から出力され、ＦＥＴ３０３のゲート端子に入力されるＰＯＷＥＲＳＡＶＥ−Ｎ信号によって行われる。
【００３０】
プリンタ制御部３０７は、電源制御部３０５からのメイン電源供給停止コマンドを受信すると、トライアック３０３をオフし、プリンタ制御部３０７並びに操作表示部１５０、通信部３１１及び印刷部３１２へのメイン電源２４Ｖ／５Ｖの電源供給を停止させる。そして、プリンタ制御部３０７は、シリアル通信３０９によって電源制御部３０５にメイン電源供給停止完了通知を送信する。
このとき、電源スイッチ１０７、把持スイッチ１２、２２及びブザー回路３０８へは、サブ電源５ＶＳの電源が供給されたままとなっている。即ち、画像形成装置１０１が電源オフされても商用電源供給部材１０２によって商用電源３０１が供給されている電源オフ状態のときは、把持検出手段４０１及び報知手段４０２は稼動している状態となっている。
【００３１】
図７は、第１の実施の形態に関する画像形成装置の電源オフ状態から開始する動作フローチャート図である。
ステップＳ１０１：先ず、画像形成装置１０１が電源オフ状態において、電源制御手段４００は、電源ＯＮ検出手段４０３によって、電源スイッチ１０７の押下があったか否かを判定する。電源スイッチ１０７の押下があったときはステップＳ１０２へ移行し、そうでないときはステップＳ１０４へ移行する。
ステップＳ１０２：電源スイッチ１０７の押下があったと判定したときは、電源制御手段４００は、押圧検出手段としての把持検出手段４０１によって、把持スイッチ１２ａ、１２ｂ、２２ａ及び２２ｂの押下を検出し、装置を持ち運ぶための手掛け部１０及び２０に対する把持があったか否かを判定する。ここで、装置を持ち運ぶための把持があったか否かの判定では、把持スイッチ１２ａ、１２ｂ、２２ａ及び２２ｂのうち、複数が同時に押下されたか否かで判定する。
即ち、把持スイッチ１２ａ、１２ｂ、２２ａ及び２２ｂのうち、一つのみの押下では装置を持ち運ぶための把持ではない可能性が高く、複数同時に押されたときに装置を持ち運ぶための把持であると判定する。このように判定することによって、装置を持ち運ぶための把持でないときの誤判定を防止することができる。
【００３２】
ステップＳ１０３：装置を持ち運ぶための把持がなかったと判定したときは、電源制御手段４００は、ステップＳ１０１における電源スイッチ１０７の押下の判定に基づいて、画像形成装置１０１を電源オン状態に移行させる電源オンのための起動動作を開始する。即ち、電源制御手段４００は、ＰＷＲＯＮ−Ｎ信号によってＦＥＴ３０６をオンとし、サブ電源５ＶＳをプリンタ制御部３０７に供給する。
ステップＳ１０４：一方、Ｓ１０１において、電源スイッチ１０７の押下がなかったと判定したときは、電源制御手段４００は、ステップＳ１０２と同様の判定を行う。即ち、把持検出手段４０１によって、把持スイッチ１２ａ、１２ｂ、２２ａ及び２２ｂの押下を検出し、装置を持ち運ぶための把持があったか否かを判定する。
【００３３】
ステップＳ１０５：ステップＳ１０２又はＳ１０４において、電源制御手段４００は、把持検出手段４０１によって装置を持ち運ぶための把持があったと判定したときは、報知手段４０２によってブザーを鳴動させ、ユーザに商用電源供給部材１０２を取外すように促す。ブザーの鳴動は、これに替えて又はこれに加えて、商用電源供給部材１０２を取外すように促す音声を出力するようにしてもよい。
電源制御手段４００は、所定の時間、ブザーの鳴動を行った後、ステップＳ１０１へ戻り、電源スイッチ１０７の押下があったか否かの判定を行う。
【００３４】
このようにブザーの鳴動を行うことにより、商用電源供給部材１０２によって商用電源が供給されている電源オフ状態において及び電源オン状態への起動動作において、装置を持ち運ぶための手掛け部１０及び２０に対する把持を検出し、ブザーの鳴動によって商用電源供給部材１０２の取外しを促すことができる。即ち、ステップＳ１０１、Ｓ１０４及びＳ１０５のフロー（順序）に示すように、電源オフ状態の最中に電源スイッチ１０７が押下されないときでも、装置を持ち運ぶための把持を検出するので、ブザーの鳴動によって商用電源供給部材１０２の取外しを促すことができる。また、ステップＳ１０１、Ｓ１０２及びＳ１０５のフロー（順序）に示すように、電源オフ状態の最中に電源スイッチ１０７が押下されて電源オンのための起動動作においても、装置を持ち運ぶための把持を検出するので、ブザーの鳴動によって商用電源供給部材１０２の取外しを促すことができる。
【００３５】
次に、既に電源オン状態となっている画像形成装置１０１の動作を説明する。図８は、第１の実施の形態に関する画像形成装置の電源オン状態から開始する動作フローチャート図である。
ステップＳ１１１：電源制御手段４００は、把持検出手段４０１によって、把持スイッチ１２ａ、１２ｂ、２２ａ及び２２ｂの押下を検出し、装置を持ち運ぶための把持があったか否かを判定する。装置を持ち運ぶための把持か否かの判定は、図７に示すステップＳ１０２及びＳ１０４と同様に、把持スイッチ１２ａ、１２ｂ、２２ａ及び２２ｂのうち、複数が同時に押下されたか否かで判定する。
【００３６】
ステップＳ１１２：電源制御手段４００は、装置を持ち運ぶための把持があったと判定したときは、報知手段４０２によってブザーを鳴動させ、ユーザに商用電源供給部材１０２を取外すように促す報知を行う。ブザーの鳴動は、図７に示すステップＳ１０５と同様に、これに替えて又はこれに加えて、商用電源供給部材１０２を取外すように促す音声を出力するようにしてもよい。
ステップＳ１１３：電源制御手段４００は、プリンタ制御部３０７に、シャットダウン処理、即ち、電源オン状態から電源オフ状態へ移行させる処理を行うか否かの選択を促す選択メッセージの表示を行わせる。この選択メッセージの表示は、プリンタ制御部３０７に対し、選択メッセージ表示コマンドをシリアル通信３０９によって送信し、報知手段４０２としての操作表示部１５０の表示部１５１に表示させることによって行う。
【００３７】
図９は、第１の実施の形態に関する画像形成装置のシャットダウン処理選択画面を示す説明図である。図９に示すように、シャットダウン処理選択画面Ｇ１５５には、シャットダウン処理を行うか否かの選択させるために「装置を持ち運ぶ前にシャットダウン処理を行いますか？」と選択メッセージ５０１を表示する。このとき、装置を持ち運ぶときは、商用電源供給部材１０２を取外してから行うように促す報知メッセージ５０２を表示してユーザに報知する。
更に、シャットダウン処理選択画面Ｇ１５５には、シャットダウン処理を行うときに選択する「はい」ボタン５０３と、シャットダウン処理を行わないときに選択する「いいえ」ボタン５０４を表示する。すると、ユーザによって、シャットダウン処理選択画面Ｇ１５５が参照され、「はい」ボタン５０３又は「いいえ」ボタン５０４のいずれかが選択される。この選択は、表示部１５１を直接操作してもよいし、操作キー１５２の選択キーで「はい」ボタン５０３又は「いいえ」ボタン５０４を選択し、選択決定キーで選択するようにしてもよい。
【００３８】
ステップＳ１１４：シャットダウン処理を行うときに選択する「はい」ボタン５０３がユーザによって選択されたときは、電源制御手段４００は、プリンタ制御部３０７からシリアル通信３０９によってシャットダウン処理選択の通知を受信する。
シャットダウン処理選択の通知を受信した電源制御手段４００は、シリアル通信３０９によって、プリンタ制御部３０７に対し、シャットダウン処理実行中の画面を表示させるコマンドを送信する。なお、電源制御手段４００からのコマンドによらず、プリンタ制御部３０７は、シャットダウン処理実行中の画面を表示するようにしてもよい。
図１０は、第１の実施の形態に関する画像形成装置のシャットダウン処理中画面を示す説明図である。図１０に示すように、シャットダウン処理中画面Ｇ１５６には、シャットダウン処理の進行度合いを示すプログレスバー５１１を表示するのがよい。また、シャットダウン処理を終了した後に、商用電源供給部材１０２を取外してから装置を持ち運ぶように促す報知メッセージ５１２を表示する。
【００３９】
一方、ステップＳ１１４において、シャットダウン処理を行わないときに選択する「いいえ」ボタン５０３がユーザによって選択されたときは、電源制御手段４００は、プリンタ制御部３０７からシリアル通信３０９によってシャットダウン処理を行わない旨の通知を受信する。シャットダウン処理を行わない旨の通知を受信した電源制御手段４００は、シャットダウン処理を行なうことなく、本処理を終了する。
ステップＳ１１５：電源制御手段４００は、電源オン状態から電源オフ状態へ移行させるシャットダウン処理を行って、本処理を終了する。
なお、破線で囲んだステップＳ１１３からＳ１１５の処理は行わず、ステップＳ１１２のブザーの鳴動のみを行うようにしてもよい。以上のようにブザーの鳴動を行うことにより、電源オン状態においても、装置を持ち運ぶための把持を検出しブザーの鳴動によって商用電源供給部材１０２の取外しを促すことができる。
【００４０】
以上のように、第１の実施の形態に関する画像形成装置１０１によれば、電源制御手段４００は、把持検出手段４０１によって手掛け部１０及び２０に対する把持が検出されたときに、報知手段４０２によって、商用電源供給部材１０２の取外しを促す報知を行うようにしたので、画像形成装置１０１を持ち運ぶ際に、商用電源供給部材１０２が接続されたまま持ち運ばれることを防止でき、商用電源供給部材１０２の損傷を防止することができる。
【００４１】
（第２の実施の形態）
次に、第２の実施の形態に関する画像形成装置１０１の構成を説明する。第２の実施の形態に関する画像形成装置１０１は、オプショントレイ６１０、６２０及び６３０からなるオプション装置６００と接続できる構成となっている。その他の構成は、第１の実施の形態の画像形成装置１０１と同様であるので、簡略化のために同様の構成についてはその詳細な説明を省略する。
図１１は、第２の実施の形態に関する画像形成装置の装置背面側から見た外観斜視図である。画像形成装置１０１は、図１１に示すように装置右側面３０ａの下方で装置正面側に手掛け部１０ａを備え、装置背面側に手掛け部２０ａを備える。更に、装置左側面の手掛け部１０ｂ及び手掛け部２０ｂを備えるのは図２と同様である。図１１に示すように、第２の実施の形態に関する画像形成装置１０１は、着脱可能なオプション装置６００の上に載置できる構成となっている。オプション装置６００は、オプショントレイ６１０、６２０及び６３０からなる。
オプション装置６００は、ユーザが画像形成装置１０１の手掛け部１０及び２０を把持して画像形成装置１０１を持ち上げることによって、取外し可能である。オプション装置６００への電源及び制御信号は、図１２を用いて後述する画像形成装置１０１側のドロワーコネクタ３３１に嵌合するオプション装置６００側のドロワーコネクタ６１１によって供給される。
【００４２】
次に、第２の実施の形態の画像形成装置１０１の内部構成を説明する。図１２は、第２の実施の形態に関する画像形成装置のブロック図である。図１２に示すように、第２の実施の形態に関する画像形成装置１０１は、第１の実施の形態に関する画像形成装置１０１の構成に加え、ＦＥＴ７０１及びＦＥＴ７０２並びにドロワーコネクタ３３１を備える。
ＦＥＴ７０１及びＦＥＴ７０２は、電源制御部３０５によってメイン電源２４Ｖ及び５Ｖをオプション装置６００に供給するか否かを制御するための半導体スイッチング素子である。ＦＥＴ７０１及びＦＥＴ７０２は、例えば、電界効果型トランジスタによって構成される。ＦＥＴ７０１及びＦＥＴ７０２のゲート端子は電源制御部３０５に接続される。
ドロワーコネクタ３３１は、オプション装置６００のドロワーコネクタ６１１と嵌合させ、メイン電源２４Ｖ、５Ｖ及び電源制御部３０５の制御信号３１３をオプション装置６００に供給するコネクタである。
【００４３】
一方、オプション装置６００は、各種の印刷媒体を格納し印刷の際に繰り出すオプショントレイ６１０、６２０及び６３０からなる。オプション装置６００の最上段にはオプショントレイ６２０が載置される。
オプショントレイ６１０、６２０及び６３０は、画像形成装置１０１から供給される電源２４Ｖ、５Ｖ及び電源制御部３０５の制御信号３１３によって動作する。オプショントレイ６１０、６２０及び６３０は、それぞれ上側にドロワーコネクタ６１１、６２１、６３１を備え、下側にもドロワーコネクタ６１２、６２２、６３２を備える。
【００４４】
オプショントレイ６１０とオプショントレイ６２０は、オプショントレイ６１０のドロワーコネクタ６１２と、オプショントレイ６２０のドロワーコネクタ６２１によって接続される。同様に、オプショントレイ６２０とオプショントレイ６３０は、オプショントレイ６２０のドロワーコネクタ６２２と、オプショントレイ６３０のドロワーコネクタ６３１によって接続される。
このように、オプション装置６００は、画像形成装置１０１と接続され、オプショントレイ６１０、６２０及び６３０がそれぞれ接続される。従って、更にオプショントレイを追加して載置することもできる。
【００４５】
次に、第２の実施の形態に関する画像形成装置１０１の電源制御部３０５について説明する。図１３は、第２の実施の形態に関する画像形成装置の電源制御部の機能ブロック図である。
第２の実施の形態に関する画像形成装置１０１の電源制御部３０５は、第１の実施の形態に関する画像形成装置１０１の電源制御部３０５の構成に加え、オプション装置電源供給手段４０４を備える。その他の構成は、第１の実施の形態に関する画像形成装置１０１の電源制御部３０５と同様であるので、同様の構成についてはその詳細な説明は省略する。
オプション装置電源供給手段４０４は、電源制御手段４００の制御のもとに、オプション装置６００に画像処理装置１０１のメイン電源２４Ｖ及び５Ｖを供給するものである。オプション装置電源供給手段４０４は、図１２に示すＦＥＴ７０１、ＦＥＴ７０２及びドロワーコネクタ３３１によって機能する。
なお、第２の実施の形態に関する画像形成装置１０１の報知手段４０２は、ユーザに対し、商用電源供給部材１０２の取外しを促すためのブザー鳴動による報知に加え、再起動を促す後述するガイダンス５２１を表示させて報知する機能を有する。報知手段４０２は、電源制御手段４００に制御に基づき図１２に示すブザー回路３０８及び操作表示部１５０によって機能する。
【００４６】
以上の構成により第２の実施の形態に関する画像形成装置１０１は以下のように動作する。図１４は、第２の実施の形態に関する画像形成装置の電源オン状態から開始する動作フローチャート図である。
ステップＳ２０１：まず、電源制御手段４００は、把持検出手段４０１によって、把持スイッチ１２ａ、１２ｂ、２２ａ及び２２ｂの押下を検出し、装置を持ち運ぶための手掛け部１０及び２０に対する把持があったか否かを判定する。装置を持ち運ぶための把持か否かの判定は、図８に示す第１の実施の形態に関する画像形成装置１０１のステップＳ１１１の動作と同様に、把持スイッチ１２ａ、１２ｂ、２２ａ及び２２ｂのうち、複数が同時に押下されたか否かで判定する。
【００４７】
ステップＳ２０２：電源制御手段４００は、装置を持ち運ぶための把持があったと判定したときは、電源制御手段４００は、オプション装置電源供給手段４０４によって、オプション制御部６００ヘのメイン電源２４Ｖ／５Ｖの電源供給を停止させる。同時に、電源制御手段４００は、プリンタ制御部３０７に対し、オプション装置６００ヘの電源供給を緊急停止した旨の電源供給緊急停止通知を送信する。電源制御手段４００は、この電源供給緊急停止通知の送信後、プリンタ制御部３０７に対し、画像形成装置１０１の再起動を促すメッセージ５２０の表示を行わせる。
ステップＳ２０３：電源制御手段４００から電源供給緊急停止通知を受けたプリンタ制御部３０７は、電源供給緊急停止通知に基づいて、操作表示部１５０の表示部１５１にオプション装置６００への電源供給を停止した旨及び画像形成装置１０１の再起動を促すメッセージ５２０の表示を行い、ユーザに画像形成装置１０１の再起動を促す。
【００４８】
図１５は、第２の実施の形態に関する画像形成装置の再起動促し画面を示す説明図である。図１５に示すように、ユーザに再起動を促すための再起動促し画面Ｇ２５５には、オプション装置６００への電源供給を停止した旨及び画像形成装置１０１の再起動を促すメッセージ５２０を表示する。メッセージ５２０としては、例えば、「オプション装置への電源供給を停止しました。印刷を行う場合は再起動が必要です。」のように表示する。更に、再起動を行うためのガイダンスとして、「再起動は、シャットダウン又は画像形成装置１０１の電源スイッチ１０７を押下し電源オフした後、再度、電源スイッチ１０７を押下してください」とのガイダンス５２１を所定の時間、表示する。
【００４９】
ステップＳ２０４：次に、電源制御手段４００は、図８に示す第１の実施の形態に関する画像形成装置１０１のステップＳ１１２の動作と同様に、報知手段４０２によってブザーを鳴動させユーザに商用電源供給部材１０２の取外しを促す報知を行う。
ステップＳ２０５〜Ｓ２０７：電源制御手段４００は、図８に示す第１の実施の形態に関する画像形成装置１０１のステップＳ１１３からＳ１１５と同様に、シャットダウン処理を行うか否かを選択させる処理を行う。なお、破線で囲んだステップＳ２０５〜Ｓ２０７の処理は行わず、ステップＳ２０４のブザーの鳴動のみを行うようにしてもよいことは、第１の実施の形態に関する画像形成装置１０１と同様である。
【００５０】
このように電源オン状態において、装置を持ち運ぶための手掛け部１０及び２０に対する把持があったときは、オプション装置６００への電源供給を停止するようにしたので、オプション装置６００から画像形成装置１０１を取り外しても活栓挿抜とならない。従って、画像形成装置１０１及びオプション装置６００の故障を抑制することができる。なお、装置を持ち運ぶための把持が電源オフ状態であった場合は、電源オフ状態ではオプション装置６００への電源供給は行われていないので、オプション装置６００への電源供給停止の本処理は省略することができる。
【００５１】
以上のように、第２の実施の形態に関する画像形成装置１０１によれば、着脱可能なオプション装置６００への電源供給を制御するオプション装置電源供給手段４０４を備え、把持検出手段４０１によって把持が検出されたときに、オプション装置６００への電源供給を停止するようにしたので、第１の実施の形態に関する画像形成装置１０１の効果に加え、オプション装置６００の活栓挿抜による画像形成装置１０１及びオプション装置６００の故障を防止することができる。
【００５２】
以上の第１及び第２の実施の形態では、画像形成装置（プリンタ）１０１を例に説明したが、他の電子機器、例えばテレビジョン、ビデオデッキ、電子レンジ、パソコン等であっても適用可能である。
【符号の説明】
【００５３】
１０１          画像形成装置
１０、２０      手掛け部
１１、２１      把持部
１２、２２      把持スイッチ
１５０          操作表示部
４００          電源制御手段
４０１          把持検出手段
４０２          報知手段
４０３          電源ＯＮ検出手段
４０４          オプション装置電源供給手段
６００          オプション装置
【図１】
2018140495.tif 000003
【図２】
2018140495.tif 000004
【図３】
2018140495.tif 000005
【図４】
2018140495.tif 000006
【図５】
2018140495.tif 000007
【図６】
2018140495.tif 000008
【図７】
2018140495.tif 000009
【図８】
2018140495.tif 000010
【図９】
2018140495.tif 000011
【図１０】
2018140495.tif 000012
【図１１】
2018140495.tif 000013
【図１２】
2018140495.tif 000014
【図１３】
2018140495.tif 000015
【図１４】
2018140495.tif 000016
【図１５】
2018140495.tif 000017